(57)【要約】【課題】通常時においても遊技性の向上を図ることができるパチンコ機を提供する。【解決手段】遊技盤２の遊技領域３の所定部位に球誘導路３１と、球誘導路３１の側方のいずれか一方に遊技者にとって有利な遊技状態となる特別遊技状態を生起させることに関連のある特別入賞口２２と、球誘導路３１の側方のいずれか他方に特別遊技状態を生起させることに関連のない一般入賞口３２ａと、を備え、球誘導路３１は、特別入賞口２２及び一般入賞口３２ａよりも上方に位置するとともに、特別入賞口２２と一般入賞口３２ａとの間に位置して設けられ、且つ、特別入賞口２２側から一般入賞口３２ａ側に向かって下り傾斜となるように形成される。【選択図】図２
2010214198.tif 000002
【特許請求の範囲】
【請求項１】
遊技盤の遊技領域の所定部位に球誘導路と、前記球誘導路の側方のいずれか一方に遊技者にとって有利な遊技状態となる特別遊技状態を生起させることに関連のある特別入賞口と、前記球誘導路の側方のいずれか他方に前記特別遊技状態を生起させることに関連のない一般入賞口と、を備え、
前記球誘導路は、前記特別入賞口及び前記一般入賞口よりも上方に位置するとともに、前記特別入賞口と前記一般入賞口との間に位置して設けられ、且つ、前記特別入賞口側から前記一般入賞口側に向かって下り傾斜となるように形成されたことを特徴とするパチンコ機。
【請求項２】
請求項１記載の構成において、前記球誘導路の前面側には、当該球誘導路を視認不能とする遮蔽部材を設けたことを特徴とするパチンコ機。
【発明の詳細な説明】
【技術分野】
【０００１】
本発明は、パチンコ機に関するものである。
【背景技術】
【０００２】
従来のパチンコ機の一例として、普通電動役物作動入賞口への遊技球の入賞後、特定入賞口への入賞等を含む所定の条件が成立することにより、大当たり発生のチャンスが生じる権利発生作動を行い、権利発生作動時に第３種始動口に遊技球が入賞することにより、特別装置を作動して権利状態（特別遊技状態）となり大入賞口を所定時間又は所定入賞個数まで等の所定の条件で開放する、いわゆる３種パチンコ機がある。この３種パチンコ機は、権利発生（特別遊技状態）時に、遊技球が普通電動役物作動入賞口に入賞し、特定入賞口へ入賞する（特定条件が成立する）と、当該権利が解除されてしまう、いわゆるパンクしてしまうことになる。
【０００３】
上記パンク発生の防止を図るようにしたパチンコ機の一例として、特許文献１に示すものがある。この公報に示すパチンコ機は、特定入賞口の周辺に、特定経路（盤面に配置された振分通過装置、及び遊技盤の裏面側に配置され一端側が振分通過装置に連通され他端側が特定入賞口の上方に形成された球放出口に連通される球誘導樋等からなる流路）以外からの球の流入を防止する障害釘を設け、障害釘により特定入賞口に不用意に遊技球が入賞しないようにしている。
【先行技術文献】
【特許文献】
【０００４】
【特許文献１】特開平５−２７７２３４号公報
【発明の概要】
【発明が解決しようとする課題】
【０００５】
ところで、上述したパチンコ機では、通常時においても遊技性の向上を図ることが望まれている。しかしながら、上述した公報に示すパチンコ機では、障害釘を設けることにより権利消滅を確実に防止し得るものの、通常時には障害釘は、遊技性に寄与することがなく、上記要望に適切には応え得るものになっていなかった。本発明は、上記事情に鑑みてなされたもので、通常時においても遊技性の向上を図ることができるパチンコ機を提供することを目的とする。
【課題を解決するための手段】
【０００６】
本発明によると、上記課題は、次のようにして解決される。
第１の発明においては、遊技盤の遊技領域の所定部位に球誘導路と、前記球誘導路の側方のいずれか一方に遊技者にとって有利な遊技状態となる特別遊技状態を生起させることに関連のある特別入賞口と、前記球誘導路の側方のいずれか他方に前記特別遊技状態を生起させることに関連のない一般入賞口と、を備え、前記球誘導路は、前記特別入賞口及び前記一般入賞口よりも上方に位置するとともに、前記特別入賞口と前記一般入賞口との間に位置して設けられ、且つ、前記特別入賞口側から前記一般入賞口側に向かって下り傾斜となるように形成される。
【０００７】
第２の発明においては、前記球誘導路の前面側には、当該球誘導路を視認不能とする遮蔽部材を設ける。
【発明の効果】
【０００８】
請求項１記載の発明によれば、特別入賞口を狙って発射されて特別入賞口方向を流下する遊技球について、球誘導路を通して一般入賞口方向にも流下可能となる。このため、特別入賞口への入賞ひいては特別遊技状態の発生のチャンスを狙いつつ、一般入賞口への入賞のチャンスも確保でき、球持ちをよくすることができ、興趣の向上を図ることができる。
【０００９】
請求項２記載の発明によれば、球誘導路の前面に遮蔽部材が設けられており、遊技者には球誘導路が傾斜していることが不明であり、球誘導路により遊技球が遊技者の予想しない動作をすることになり、遊技球の動作に関して遊技者に意外性を与える演出を図ることができる。
【図面の簡単な説明】
【００１０】
【図１】本発明の一実施の形態に係るパチンコ機の遊技盤を模式的に示す正面図である。
【図２】図１の下側入賞装置を模式的に示す正面図である。
【発明を実施するための形態】
【００１１】
本発明の一実施の形態に係るパチンコ機を図１及び図２に基づいて説明する。図１において、パチンコ機１は、遊技盤２を備え、遊技盤２の前面には図示しないレールにより囲まれるようにして略円形の遊技領域３が形成されている。遊技領域３の中央部には、普通電動役物４及び普通図柄表示装置５を備えるセンター役物６が設けられている。センター役物６の下側には、特別装置作動領域７を含む権利発生装置８等を有する下側入賞装置９が設けられている。
【００１２】
遊技領域３におけるセンター役物６の左側には、左肩入賞口１０ａを有する左肩入賞具１０が設けられ、右側には第３種始動口１１を有する始動入賞具１２が設けられている。始動入賞具１２の下側には、大入賞口１３を有する特別装置１４が設けられている。センター役物６の左斜め上側、右斜め上側及び左斜め下側には、それぞれ風車１５が設けられている。左肩入賞具１０の左側及び始動入賞具１２の右側にはそれぞれ表示灯１６が設けられている。
【００１３】
普通電動役物４は、特定入賞口２０と、この特定入賞口２０に対応して設けられる回動可能の一対の羽根部材２１とを有している。一対の羽根部材２１は、アクチュエータ（図示省略）に駆動され、特定入賞口２０に対して遊技球が入り難い第１状態と、遊技球が入りやすい第２状態に切換え可能とされている。普通電動役物４の羽根部材２１は、常時は第１状態とされ、遊技球が普通電動役物作動入賞口（特別入賞口）２２に入賞して普通電動役物作動装置２３に備えられた入賞検出スイッチ（以下、普通電動役物作動入賞口入賞検出スイッチ２４という。）が遊技球の入賞を検出することにより、第２状態に所定時間だけ切換えられるようになっている。
【００１４】
特定入賞口２０は、図示しない回転盤及びワープを介して権利発生装置８に設けられる普通図柄表示装置作動用ゲート２５に連通しており、特定入賞口２０に入賞した遊技球が普通図柄表示装置作動用ゲート２５に流入可能とされている。回転盤には五つの穴が形成され、そのうち周辺部が切欠となっている一つの穴に、特定入賞口２０に入賞した遊技球が流入することにより、その遊技球が普通図柄表示装置作動用ゲート２５に流入されるようになっている。
【００１５】
普通図柄表示装置作動用ゲート２５の下流側には、遊技球の待機部２６が設けられている。普通図柄表示装置作動用ゲート２５から流下した遊技球は、後述する図柄判定結果により回転体２７が作動されるまで、この待機部２６に保持される。待機部２６の上流側にゲート通過検出スイッチ２８が配置されており、普通図柄表示装置作動用ゲート２５を通過した遊技球を検出するようにしている。
【００１６】
普通図柄表示装置５は、ゲート通過検出スイッチ２８が遊技球の通過を検出すると、これに応じて図柄変動を開始し、所定時間（例えば約２．２秒）経過すると、図柄の変動を停止する。停止された図柄が、予め定めた特定の図柄（例えば、「Ｖ，Ｖ」「７，７」又は「３，３」）であると判定されると、権利発生装置８に設けられる回転体２７を回転し、遊技球を権利発生装置８に設ける特別装置作動領域７に案内する。特別装置作動領域７の近傍には、入賞検出スイッチ（特別装置作動領域入賞検出スイッチ２９）が設けられており、この特別装置作動領域７に流入された遊技球を検出するようにしている。
【００１７】
また、停止された図柄が、前記特定の図柄と異なる場合には、回転体２７を回転し、遊技球をはずれ穴３０に案内する。また、遊技球が特別装置作動領域７に案内されて、特別装置作動領域入賞検出スイッチ２９が遊技球を検出すると、権利発生（特別遊技状態）となる。特別装置作動領域入賞検出スイッチ２９が遊技球を検出し、権利が発生した状態で、始動入賞具１２の第３種始動口１１に遊技球が入賞する毎に、特別装置１４の大入賞口１３が、所定時間（約１０秒間）経過するか又は大入賞口１３に遊技球が所定個（例えば１０個）流入するまで開放される動作を所定回数実行する。
【００１８】
下側入賞装置９は、図２に示すように、球誘導路３１、前記権利発生装置８、普通電動役物作動入賞口２２を有する普通電動役物作動装置２３（特別入賞口を形成する部材）、一般入賞口３２ａを有する一般入賞具３２（一般入賞口を形成する部材）及び基板（以下、下側入賞装置用基板３３という。）を備えている。下側入賞装置用基板３３に球誘導路３１、権利発生装置８、普通電動役物作動装置２３及び一般入賞具３２が固定されており、下側入賞装置９は一体化されたものになっている。すなわち、球誘導路３１は、権利発生装置８、普通電動役物作動入賞口２２を形成する部材及び一般入賞口３２ａを形成する部材と一体に構成されている。なお、前述したように普通電動役物作動入賞口（特別入賞口）２２に遊技球が入賞すると普通電動役物４の一対の羽根部材２１が回動するため、普通電動役物作動入賞口（特別入賞口）２２は遊技者にとって有利な遊技状態となる特別遊技状態を生起させる最初の契機となる。よって特別遊技状態を生起させることに関連がある。また、一般入賞口３２ａに遊技球が入賞しても、図示しない賞球払出装置から賞球が遊技者に所定個数払出されるだけであり、一般入賞口３２ａは遊技者にとって有利な遊技状態となる特別遊技状態を生起させることと関連はない。
【００１９】
下側入賞装置用基板３３は、中央部が拡幅された略三日月状をなし、大略左右対称に形成されている。下側入賞装置用基板３３の中央部の下側部分に権利発生装置８（特別装置作動装置）が設けられ、上側に球誘導路３１が設けられている。下側入賞装置用基板３３の中央部から左側に延びる部分には、普通電動役物作動装置２３が設けられ、右側に延びる部分には、一般入賞具３２が設けられている。
【００２０】
球誘導路３１は、高さ寸法（図２紙面表裏方向）が遊技球の径よりわずかに大きい透明の板材（プラスチック材）からなり、一般入賞口３２ａに向かって下り傾斜となるようにして下側入賞装置用基板３３に取付けられている。球誘導路３１の下側には、略コ字形の板材３５が球誘導路３１と共に一体化されるように固着されている。板材３５には、雌ねじ部（符号省略）が形成されている。固着された球誘導路３１及び板材３５の前面側（遊技者側）には、球誘導路３１の上側に突出するようにして、透明の前壁３６が保持されている。前壁３６の前面には図柄表示されたフィルム３７（遮蔽部材）が貼付されており、遊技者から前壁３６側ひいては球誘導路３１が見えないようにされている。なお、普通電動役物作動装置２３の前壁５４、一般入賞具３２の前壁６０及び権利発生装置８の前壁５０の各前面にも図柄表示されたフィルム３７Ａ，３７Ｂ，３７Ｃがそれぞれ貼付されており、遊技者から普通電動役物作動装置２３及び一般入賞具３２等が見えないようにされている。この場合、フィルム３７Ａ，３７Ｂには、入賞口が実際よりも若干大きく見える図が記載されている。
【００２１】
前記球誘導路３１の下側入賞装置用基板３３への取付けは、球誘導路３１及び板材３５が固着された状態で、下側入賞装置用基板３３の図示しない孔を通して雄ねじを雌ねじ部に螺合することにより行われている。球誘導路３１及び板材３５により内側に空間部が形成されている。下側入賞装置用基板３３における空間部に対応する部分には２つの孔（符号省略）が形成されており、その孔にランプ（図示省略）が挿入されるようになっている。
【００２２】
権利発生装置８は、遊技球を載置し得る高さ（図２紙面表裏方向）の透明のプラスチック板材を、内側に空間部を形成するように周回状に形成してなる枠部４０と、枠部４０内に配置され、図示しないアクチュエータにより回動される前記回転体２７と、ゲート通過検出スイッチ２８とを備えている。枠部４０は金属材からなる細い軸状の固定部材（図示省略）等により下側入賞装置用基板３３に固定されている。
【００２３】
枠部４０の内側に形成される空間部の上側部分に対応する下側入賞装置用基板３３の部分に、孔が形成されており、普通図柄表示装置作動用ゲート２５を構成し、ワープ（図示省略）を通して特定入賞口２０に連通している。前記枠部４０の内側の空間部には、普通図柄表示装置作動用ゲート２５から左右に分岐して２つの流路（以下、左側流路４１、右側流路４２という。）が設けられている。左側流路４１は、先端側が遊技盤２に形成されたはずれ穴３０Ａに連通している。右側流路４２は、先端側が待機部２６に連通している。右側流路４２の途中（待機部２６の上流側）に前記ゲート通過検出スイッチ２８が配置されている。
【００２４】
左側流路４１、右側流路４２の分岐部分には、シーソー板４３が設けられている。シーソー板４３は、通常時は、遊技球を右側流路４２（待機部２６）に案内するように、時計方向に回動された状態とされている。また、待機部２６に遊技球が保持されている際には、遊技球が左側流路４１（はずれ穴３０Ａ）に案内されるように反時計方向に回動された状態とされるようにしている。
【００２５】
回転体２７は、所定高さの板材からなる壁４４により囲まれている。壁４４の一部（図２右上側部分）には、切欠４５が形成されており、右側流路４２の開口部とされている。この開口部（切欠４５）が形成された部分が回転体２７と共に待機部２６を構成している。壁４４の左下側部分及び右下側部分には、それぞれ回転体２７から離間する方向に凹む凹み部４６、４７が形成されている。左下側の凹み部４６は、前記はずれ穴３０に連通している。右下側の凹み部４７は、特別装置作動領域７とされ、その近傍に上述したように特別装置作動領域入賞検出スイッチ２９が設けられている。
【００２６】
回転体２７の外周部には遊技球を収納し得る大きさの凹部（以下、回転体凹部２７ａという。）が形成されている。回転体２７は、普通図柄表示装置５の停止図柄の判定結果に応じて回動し、待機部２６に待機されている遊技球について、回転体凹部２７ａを介して、はずれ穴３０又は特別装置作動領域７に案内するようにしている。枠部４０の前側（遊技者側）には、透明のプラスチックからなる前記前壁５０が取付けられている。
【００２７】
普通電動役物作動装置２３は、遊技球を通すように略上下方向に延びる球通路（普通電動役物作動入賞口２２）を形成するように配設された左側、右側通路壁５１，５２を有している。右側通路壁５２は、鉛直方向に延びる右側通路壁本体部５２ａと、右側通路壁本体部５２ａの上部に連接されて、左斜め上方に向けて曲面状に延びる落下防止部５２ｂと、右側通路壁本体部５２ａの下部に連接されて、左側通路壁５１に向けて湾曲して延びる右側通路壁下縁部５２ｃと、から構成されている。
【００２８】
左側通路壁５１は、鉛直方向（図２上下方向）に延び、右側通路壁本体部５２ａに比して短い寸法（図２上下方向の寸法）の左側通路壁本体部５１ａと、左側通路壁本体部５１ａの上部（右側通路壁本体部５２ａの中間部分に相当する高さ部分）に連接し、左斜め上方に延びる障害部５１ｂと、障害部５１ｂの上部に連接して鉛直方向（図２上方向）に延びる左側通路開口側壁部５１ｃと、左側通路壁本体部５１ａの下部に連接されて、右側通路壁５２に向けて湾曲して延び右側通路壁下縁部５２ｃに連接される左側通路壁下縁部５１ｄと、から構成されている。
【００２９】
右側通路壁本体部５２ａ、右側通路壁下縁部５２ｃ、左側通路壁本体部５１ａ及び左側通路壁下縁部５１ｄに囲まれる部分に対応して遊技盤２には穴（以下、普通電動役物用穴５３という。）が形成されている。前記普通電動役物作動入賞口入賞検出スイッチ２４は左側、右側通路壁５１，５２（左側通路壁本体部５１ａ及び右側通路壁本体部５２ａ）に保持されており、普通電動役物用穴５３の上部を通して下側入賞装置用基板３３の裏面側に延びている。
【００３０】
普通電動役物作動入賞口入賞検出スイッチ２４は、球通路（普通電動役物作動入賞口２２）における左側通路壁本体部５１ａ及び右側通路壁本体部５２ａに臨む部分を通過する遊技球を検出するようにしており、当該部分が球通路の球球検出領域を構成している。普通電動役物用穴５３の下部側は遊技球を通す大きさとされており、普通電動役物作動入賞口２２に入賞した遊技球を当該部を通して下側入賞装置用基板３３（遊技盤２）の裏面側に配置される流路（図示省略）に案内するようにしている。左側、右側通路壁５１，５２の前側には、透明のプラスチック材からなる前壁５４が設けられている。
【００３１】
一般入賞具３２は、普通電動役物作動装置２３と対比して、左右を逆にして略同等形状とされている。一般入賞具３２は、一般入賞口３２ａを形成するように配設された右側、左側通路壁（以下、右側、左側一般入賞用通路壁５６，５７という。）を有している。
【００３２】
左側一般入賞用通路壁５７は、鉛直方向に延びる左側一般入賞用通路壁本体部５７ａと、左側一般入賞用通路壁本体部５７ａの上部に連接されて、右斜め上方に向けて曲面状に延びる落下防止部５７ｂと、左側一般入賞用通路壁本体部５７ａの下部に連接されて、右側一般入賞用通路壁に向けて湾曲して延びる左側一般入賞用通路壁下縁部５７ｃと、から構成されている。右側一般入賞用通路壁５６は、鉛直方向（図２上下方向）に延び、左側一般入賞用通路壁本体部５７ａに比して短い寸法（図２上下方向の寸法）の右側一般入賞用通路壁本体部５６ａと、右側一般入賞用通路壁本体部５６ａの上部（左側一般入賞用通路壁本体部５７ａの中間部分に相当する高さ部分）に連接し、右斜め上方に延びる障害部５６ｂと、障害部５６ｂの上部に連接して鉛直方向（図２上方向）に延びる右側通路開口側壁部５６ｃと、右側一般入賞用通路壁本体部５６ａの下部に連接されて、左側一般入賞用通路壁５７に向けて湾曲して延び左側一般入賞用通路壁下縁部５７ｃに連接される右側一般入賞用通路壁下縁部５６ｄと、から構成されている。
【００３３】
左側一般入賞用通路壁本体部５７ａ、左側一般入賞用通路壁下縁部５７ｃ、右側一般入賞用通路壁本体部５６ａ及び右側一般入賞用通路壁下縁部５６ｄに囲まれる部分に対応して遊技盤２には穴（以下、一般入賞用穴５８という。）が形成されている。右側、左側一般入賞用通路壁５６，５７に一般入賞口検出スイッチ５９が保持されており、この一般入賞口検出スイッチ５９は一般入賞用穴５８の上部を通して下側入賞装置用基板３３の裏面側に延びている。一般入賞用穴５８の一般入賞口検出スイッチ５９の下側部分は遊技球を通す大きさとされており、一般入賞口３２ａに入賞した遊技球を、当該部（一般入賞用穴５８の一般入賞口検出スイッチ５９の下側部分）を通して下側入賞装置用基板３３（遊技盤２）の裏面側に配置される流路（図示省略）に案内するようにしている。右側、左側一般入賞用通路壁５６，５７の前側には、透明のプラスチック材からなる前記前壁６０が設けられている。
【００３４】
始動入賞具１２は、図１に示すように回転体（以下、始動入賞回転体６１という。）を有している。始動入賞回転体６１は、本パチンコ機１の電源投入から継続して回動されるようになっている。特別装置作動領域入賞検出スイッチ２９が遊技球を検出する（すなわち、権利発生装置８が権利発生作動を行う）と、この権利発生作動時に、始動入賞具１２の開口部に遊技球が流入して始動入賞回転体６１に載ると、始動入賞回転体６１は、当該遊技球を第３種始動口１１に誘導する。第３種始動口１１に遊技球が誘導されることにより、特別装置１４に設けられた開閉翼（図示省略）が作動されて特別遊技状態（権利状態）となり、所定時間（約１０秒間）が経過するか又は大入賞口１３への入賞個数が所定数（約１０個）に達するまで大入賞口１３が開放される動作が所定回数実行される。
【００３５】
なお、特別装置作動領域入賞検出スイッチ２９が遊技球を検出していない（権利発生装置８が権利発生作動を行っていない）状態で、始動入賞具１２の開口部に遊技球が流入しても、大入賞口１３は開放されない。また、権利発生（特別遊技状態つまり特別装置１４の開閉翼の開放作動）中に、遊技球が普通電動役物作動入賞口２２に入賞し、その後、特別装置作動領域入賞検出スイッチ２９が遊技球を検出する（権利発生装置８が権利発生作動を行う）と、当該権利が解除され、特別装置１４の開閉翼が閉じられるようになっている。
【００３６】
上述したように構成されたパチンコ機１では、特別遊技状態ではない通常遊技中は、特別遊技状態を生起させるための最初の契機となる普通電動役物作動入賞口２２を狙って発射することが有利である。そして、通常遊技中に普通電動役物作動入賞口２２を狙って発射されて遊技盤２の左側（普通電動役物作動入賞口２２方向）を流下する遊技球について、球誘導路３１を通して一般入賞口３２ａ方向にも流下可能となる。このため、普通電動役物作動入賞口２２への入賞ひいては特別遊技状態の発生のチャンスを狙いつつ、一般入賞口３２ａへの入賞のチャンスも確保でき、ひいては賞球の払出が多くなることで球持ちがよくなり、その分、興趣の向上を図ることができる。
【００３７】
また、特別遊技状態中に右打ちした遊技球が、仮に球誘導路３１の上面部に当接した場合、球誘導路３１は、上述したように傾斜していることから、この遊技球を一般入賞口３２ａ側に案内し普通電動役物作動入賞口２２への入賞を抑制することが可能であり、その分、パンク発生を気にすることなく、特別遊技状態を楽しむことができる。
【００３８】
球誘導路３１は、権利発生装置８、普通電動役物作動装置２３（特別入賞口を形成する部材）及び一般入賞具３２（一般入賞口を形成する部材）と一体に構成されている。このため、球誘導路３１を権利発生装置８、普通電動役物作動装置２３及び一般入賞具３２と合せて集約化することが可能であり、これにより、限られたスペースである盤面への球誘導路３１の配置を、効率よく行うことができる。
【００３９】
また、球誘導路３１の上側に突出するようにして、透明の前壁３６が保持され、その前壁３６の前面には装飾が施されたフィルム３７（遮蔽部材）が貼付されており、遊技者から球誘導路３１が見えないようにされている。これにより、遊技者には球誘導路３１が傾斜していることが分からず、遊技者は球誘導路３１による遊技球の特異な動きを予想できない。このため、遊技球の動作に関して遊技者に意外性を与える演出を図ることができる。なお、本実施の形態では、遮蔽部材としてフィルム３７を用いた場合を例にしたが、これに代えて、非透明部材からなる前壁を用いるようにしてもよい。
【００４０】
さらに、落下防止部５２ｂを左斜め上方に向けて曲面状に延びるように構成したことにより、遊技球が落下防止部５２ｂに当接した際、遊技球を落下防止部５２ｂの傾斜方向に案内するので、遊技球が過度に入賞することが抑制される。また、落下防止部５２ｂの先端部と左側通路開口側壁部５１ｃの先端部との間は遊技球を通過し得る大きさで狭くされている。このように落下防止部５２ｂの先端部と左側通路開口側壁部５１ｃの先端部との間を狭くしたことにより、遊技球の過度な入賞をさらに抑制できる。
【００４１】
また、上述したように普通電動役物作動装置２３及び一般入賞具３２にそれぞれフィルム３７Ａ，３７Ｂがそれぞれ貼付され、遊技者から普通電動役物作動装置２３及び一般入賞具３２が見えないようにされ、さらにフィルム３７Ａ，３７Ｂには、入賞口が実際よりも若干大きく見える図が記載されているので、遊技者に入賞の期待感を持たせることができ、興趣の向上を図ることができる。また、普通電動役物作動装置２３及び一般入賞具３２の前面側に図柄表示されることにより見栄えするものになり、意匠性の向上を図ることができる。
【００４２】
さらに、遊技球が普通電動役物作動装置２３の球通路（普通電動役物作動入賞口２２）に流入すると、遊技球は障害部（肩部）５１ｂに当接して落下速度が減速され、減速された状態で球検出領域を通過する。そして、普通電動役物作動入賞口入賞検出スイッチ２４は、遊技球を減速された状態で検出することになる。このため、普通電動役物作動入賞口入賞検出スイッチ２４は、遊技球を確実に検出することができる。
【００４３】
また、左側通路壁５１に障害部５１ｂを設け、右側通路壁５２に落下防止部５２ｂを設けて、上述したように普通電動役物作動入賞口入賞検出スイッチ２４による遊技球の確実な検出、遊技球の過度な入賞の抑制を果たしている。このため、遊技球の確実な検出、遊技球の過度な入賞の抑制を行う上で、装置を遊技者側へ何等突出させなくて済むので、その分、装置のコンパクト化を図ることができる。
【００４４】
さらに、落下防止部５７ｂを右斜め上方に向けて曲面状に延びるように構成したことにより、遊技球が落下防止部５７ｂに当接した際、遊技球を落下防止部５７ｂの傾斜方向に案内するので、遊技球が過度に入賞することが抑制される。また、遊技球が一般入賞具３２の球通路（一般入賞口３２ａ）に流入すると、遊技球は障害部５６ｂに当接して落下速度が減速され、減速された状態で球検出領域を通過する。そして、一般入賞口検出スイッチ５９は、遊技球を減速された状態で検出することになる。このため、一般入賞口検出スイッチ５９は、遊技球を確実に検出することができる。
【００４５】
また、右側一般入賞用通路壁５６に障害部５６ｂを設け、左側一般入賞用通路壁５７に落下防止部５７ｂを設けて、上述したように一般入賞口検出スイッチ５９による遊技球の確実な検出、遊技球の過度な入賞の抑制を果たしている。このため、遊技球の確実な検出、遊技球の過度な入賞の抑制を行う上で、装置を遊技者側へ何等突出させなくて済むので、その分、装置のコンパクト化を図ることができる。なお、本実施の形態ではいわゆる３種パチンコ機において説明を行ったが、これ以外のパチンコ機として特別入賞口に入賞すると特別図柄が変動し、停止図柄が所定のものであれば特別遊技状態が発生する１種パチンコ機等にも適用可能である。
【符号の説明】
【００４６】
２    遊技盤
３    遊技領域
４    普通電動役物
５    普通図柄表示装置
７    特別装置作動領域
８    権利発生装置
９    下側入賞装置
１３    大入賞口
１４    特別装置
２２    普通電動役物作動入賞口（特別入賞口）
２３    普通電動役物作動装置
３１    球誘導路
３２    一般入賞具
３２ａ    一般入賞口
【図１】
2010214198.tif 000003
【図２】
2010214198.tif 000004